(57)【要約】【課題】  光ディスクの不正製造及び不正再生を防止すること。【解決手段】  ＢＣＡコード記録装置３１毎に固有のシリアルＩＤ（ａ）を発行すると共にシリアルＩＤ（ａ）をライセンス管理団体２０に報告するＢＣＡコード記録装置製造メーカ１０と、該メーカ１０からのシリアルＩＤ（ａ）を基にＢＣＡ設備キー（ｂ）を発行して光ディスク製造メーカ３０に送付すると共に、ＢＣＡ設備キー（ｂ）及びタイトル毎に発行したメディアキー（ｃ）とを基に生成した認証キー（ｄ）を光ディスク再生装置７０に送付するライセンス管理団体２０と、ライセンス管理団体２０から受信したメディアキー（ｃ）と前記シリアルＩＤ（ａ）とを基に特殊暗号キー（ｅ）を生成し、特殊暗号キー（ｅ）をＢＣＡコードの所定エリアにＢＣＡコードと共に光ディスクに記録する光ディスク製造メーカ３０とを含み、光ディスク再生装置７０が、特殊暗号キー（ｅ）と認証キー（ｄ）とが所定の関係にある場合のみに光ディスクの再生を可能としたこと。【選択図】  図１
2006085813.tif 000002
【特許請求の範囲】
【請求項１】
光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと、該光ディスク製造メーカで製造した光ディスクを再生する光ディスク再生装置を製造する光ディスク再生装置メーカ間とで光ディスクの不正製造及び不正再生を防止する光ディスク管理システムであって、
製造したＢＣＡコード記録装置毎に固有のシリアルＩＤ（ａ）を発行してＢＣＡコード記録装置の内部メモリに登録すると共に前記シリアルＩＤ（ａ）を前記ライセンス管理団に報告するＢＣＡコード記録装置製造メーカと、
該ＢＣＡコード記録装置製造メーカから報告されたシリアルＩＤ（ａ）を基にＢＣＡ設備キー（ｂ）を発行して光ディスク製造メーカに送付すると共に、該ＢＣＡ設備キー（ｂ）及びタイトル毎に発行したメディアキー（ｃ）とを基に生成した認証キー（ｄ）を光ディスク再生装置に送付するライセンス管理団体と、
前記ライセンス管理団体から受信したメディアキー（ｃ）とＢＣＡコード記録装置製造メーカで発行したシリアルＩＤ（ａ）とを基に特殊暗号キー（ｅ）を生成し、該特殊暗号キー（ｅ）をＢＣＡコードの所定エリアにＢＣＡコードと共に光ディスクに記録する光ディスク製造メーカとを含み、
前記光ディスク再生装置が、光ディスクから再生した特殊暗号キー（ｅ）とライセンス管理団体から発行された認証キー（ｄ）とが所定の関係にある場合のみに光ディスクの再生が可能としたことを特徴とする光ディスク管理システム。
【請求項２】
前記ＢＣＡコード記録装置が、内部メモリに記憶したシリアルＩＤ（ａ）とライセンス管理団体から送付されたＢＣＡ設備キー（ｂ）とが所定の関係にある場合のみにＢＣＡコード記録を可能とすることを特徴とする請求項１記載の光ディスク管理システム。
【請求項３】
光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと、該光ディスク製造メーカで製造した光ディスクを再生する光ディスク再生装置を製造する光ディスク再生装置メーカ間とで光ディスクの不正製造及び不正再生を防止する光ディスク管理方法であって、
前記ＢＣＡコード記録装置製造メーカが、製造したＢＣＡコード記録装置毎に固有のシリアルＩＤ（ａ）を発行してＢＣＡコード記録装置の内部メモリに登録すると共に前記シリアルＩＤ（ａ）を前記ライセンス管理団に報告する第１ステップと、
前記ライセンス管理団体が、ＢＣＡコード記録装置製造メーカから報告されたシリアルＩＤ（ａ）を基にＢＣＡ設備キー（ｂ）を発行して光ディスク製造メーカに送付すると共に、該ＢＣＡ設備キー（ｂ）及びタイトル毎に発行したメディアキー（ｃ）とを基に生成した認証キー（ｄ）を光ディスク再生装置に送付する第２ステップと、
前記光ディスク製造メーカが、ライセンス管理団体から受信したメディアキー（ｃ）とＢＣＡコード記録装置製造メーカで発行したシリアルＩＤ（ａ）とを基に特殊暗号キー（ｅ）を生成し、該特殊暗号キー（ｅ）をＢＣＡコードの所定エリアにＢＣＡコードと共に光ディスクに記録する第３ステップと、
前記光ディスク再生装置が、光ディスクから再生した特殊暗号キー（ｅ）とライセンス管理団体から発行された認証キー（ｄ）とが所定の関係にある場合のみに光ディスクの再生が可能とする第４ステップを含むことを特徴とする光ディスク管理方法。
【請求項４】
前記ＢＣＡコード記録装置が、内部メモリに記憶したシリアルＩＤ（ａ）とライセンス管理団体から送付されたＢＣＡ設備キー（ｂ）とが所定の関係にある場合のみにＢＣＡコード記録を可能とする第５ステップとを含むことを特徴とする請求項２記載の光ディスク管理方法。
【請求項５】
光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと間とで光ディスクの不正製造を防止する光ディスクであって、
前記ＢＣＡ製造メーカから報告されたシリアルＩＤ（ａ）を基に発行したＢＣＡ設備キー（ｂ）及ライセンス管理団体がタイトル毎に発行したメディアキー（ｃ）とを基に生成した特殊暗号キー（ｅ）をＢＣＡコードに含ませて記録したことを特徴とする光ディスク。
【請求項６】
ＢＣＡコードが記録された光ディスクを再生する光ディスク再生装置であって、前記光ディスクのＢＣＡコードに含まれる特殊暗号キー（ｅ）と、ライセンス管理団体から発行された認証キー（ｄ）とが所定の関係にある場合のみに光ディスクの再生を可能としたことを特徴とする光ディスク再生装置。
【請求項７】
光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと間とで光ディスクの不正製造防止するためのＢＣＡコード記録装置であって、
ＢＣＡコード記録装置製造メーカが発行したＢＣＡコード記録装置毎に固有のシリアルＩＤ（ａ）を格納する内部メモリと、
前記シリアルＩＤ（ａ）を基にライセンス管理団体が発行した設備キー（ｂ）を通信網を介して受信することができる外部メモリと、
ライセンス管理団体がタイトル毎に発行したメディアキー（ｃ）を通信網を介して受信し且つタイトル毎に付与されたＢＣＡデータを格納するＢＣＡ設備コントローラとを含み、
前記内部メモリに格納したシリアルＩＤ（ａ）とＢＣＡ設備キー（ｂ）とが所定の関係にあるときのみにＢＣＡコード記録を許可し、
前記外部メモリに格納したＢＣＡ設備キー（ｂ）とメディアキー（ｃ）とを基に特殊暗号キーｅを生成し、該生成した特殊暗号キーｅを前記ＢＣＡデータに含ませて光ディスクに記録することを特徴とするＢＣＡコード記録装置。
【請求項８】
光ディスクの不正製造及び不正再生を防止するライセンス管理団体であって、
ＢＣＡコード記録装置製造メーカがＢＣＡコード記録装置毎に発行した固有のシリアルＩＤ（ａ）を基にＢＣＡ設備キー（ｂ）を生成すると共に、該ＢＣＡ設備キー（ｂ）及びタイトル毎に発行したメディアキー（ｃ）とを基に認証キー（ｄ）を生成し、
前記ＢＣＡ設備キー（ｂ）が、ＢＣＡコード記録装置において、ＢＣＡコード記録装置に固有に発行されたシリアルＩＤ（ａ）と所定の関係にあるときにＢＣＡコード記録を許可する要素として使用され、
前記認証キー（ｄ）が、光ディスク再生装置において、前記ＢＣＡ設備キー（ｂ）とメディア発行キー（ｃ）とを基に生成された特殊暗号キーｅと所定の関係にあるときに光ディスク再生を許可する要素として使用されることを特徴とするライセンス管理団体。
【発明の詳細な説明】
【技術分野】
【０００１】
本発明は、光ディスクの不正製造及び不正再生を防止する光ディスク管理システム、光ディスク管理方法、光ディスク、光ディスク再生装置、ＢＣＡコード記録装置、ランセンス管理団体に関する。
【背景技術】
【０００２】
一般に光ディスクと呼ばれる記録媒体には、スタンピング技術によりデータが予め記録される再生専用ディスク（ＣＤ-ＲＯＭ、ＤＶＤ-ＲＯＭ等）、色素系記録膜の反射率を変化させることによりデータの記録を行う追記型ディスク（ＣＤ−Ｒ、ＤＶＤ−Ｒ等）、相変化記録膜の反射率を変化させることによりデータの記録を行う書換え型ディスク（ＣＤ-ＲＷ、ＤＶＤ-ＲＷ、ＤＶＤ-ＲＡＭ等）が知られている。
【０００３】
前記多種光ディスクの中で特にＤＶＤディスクにおいては、ディスク最内周にＢＣＡ（Burst  Cutting  Area）コードなるバーコード状のデータが記録される場合がある。このＢＣＡコードは、主に著作権保護を目的とし、ディスク製造過程又は製造後に記録される。記録方法はＤＶＤ種別によって異なり、例えば再生専用のＤＶＤ-ＲＯＭディスクの場合は高出力レーザを使用した専用装置（以下、ＢＣＡコード記録装置と呼ぶ）により、ディスクの反射膜の一部を放射線状に除去（焼き切る）ことで記録マークを形成する。また、追記型のＤＶＤ-Ｒにおいては、前期ＢＣＡコード記録装置を用い、記録膜の色素(反射率)変化によりマークを記録することが可能であり、書換え型のＤＶＤ−ＲＷ、ＤＶＤ−ＲＡＭにおいては、相変化記録膜の結晶化工程で用いられている初期化装置により、未結晶部分を放射線状に残留させることで記録マークを形成することが一般的となっている。
尚、このＢＣＡコードに関する技術が記載された文献としては、例えば下記特許文献が挙げられる。
【特許文献１】特開平１０−２３３０１９号公報
【特許文献２】特開２００１−７６３４５号公報
【発明の開示】
【発明が解決しようとする課題】
【０００４】
前記ＢＣＡコードが記録された光ディスクは、近年のコンピュータ技術の発展により、ある程度の技術力を持った者が容易に不正コピーを行うことができる。特に近年ではコスト削減のために海外工場にて光ディスクの製造を行うことが多々あり、この場合、仮に不正利用者が正規の光ディスク製造装置を用いて休日等に不正に光ディスクの製造を行った場合、その製造された光ディスクが不正に製造されたものなのか正規に製造された光ディスクなのかを判別することが困難であると言う不具合もあった。特に当該不正製造の問題は、例えば版権を持つライセンシーから所定数量の製造が許諾された映画情報を含むＤＶＤの場合、許諾を受けた製造工場がライセンスの範囲を超えた数量が市場に出回った場合、不正に製造されたことを立証することが困難であると言う不具合があった。
【０００５】
本発明はの目的は、前述の従来技術による不具合を除去することであり、光ディスクの不正製造及び不正再生を防止することができる、光ディスク管理システム、光ディスク管理方法、光ディスク、光ディスク再生装置、ＢＣＡコード記録装置、ランセンス管理団体を提供することである。
【課題を解決するための手段】
【０００６】
前記目的を達成するために本発明は、光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと、該光ディスク製造メーカで製造した光ディスクを再生する光ディスク再生装置を製造する光ディスク再生装置メーカ間とで光ディスクの不正製造及び不正再生を防止する光ディスク管理システムであって、製造したＢＣＡコード記録装置毎に固有のシリアルＩＤ（ａ）を発行してＢＣＡコード記録装置の内部メモリに登録すると共に前記シリアルＩＤ（ａ）を前記ライセンス管理団に報告するＢＣＡコード記録装置製造メーカと、該ＢＣＡコード記録装置製造メーカから報告されたシリアルＩＤ（ａ）を基にＢＣＡ設備キー（ｂ）を発行して光ディスク製造メーカに送付すると共に、該ＢＣＡ設備キー（ｂ）及びタイトル毎に発行したメディアキー（ｃ）とを基に生成した認証キー（ｄ）を光ディスク再生装置に送付するライセンス管理団体と、前記ライセンス管理団体から受信したメディアキー（ｃ）とＢＣＡコード記録装置製造メーカで発行したシリアルＩＤ（ａ）とを基に特殊暗号キー（ｅ）を生成し、該特殊暗号キー（ｅ）をＢＣＡコードの所定エリアにＢＣＡコードと共に光ディスクに記録する光ディスク製造メーカとを含み、前記光ディスク再生装置が、光ディスクから再生した特殊暗号キー（ｅ）とライセンス管理団体から発行された認証キー（ｄ）とが所定の関係にある場合のみに光ディスクの再生が可能としたことを第１の特徴とし、該光ディスク管理システムにおいて、前記ＢＣＡコード記録装置が、内部メモリに記憶したシリアルＩＤ（ａ）とライセンス管理団体から送付されたＢＣＡ設備キー（ｂ）とが所定の関係にある場合のみにＢＣＡコード記録を可能とすることを第２の特徴とする。
【０００７】
また本発明は、光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと、該光ディスク製造メーカで製造した光ディスクを再生する光ディスク再生装置を製造する光ディスク再生装置メーカ間とで光ディスクの不正製造及び不正再生を防止する光ディスク管理方法において、前記ＢＣＡコード記録装置製造メーカが、製造したＢＣＡコード記録装置毎に固有のシリアルＩＤ（ａ）を発行してＢＣＡコード記録装置の内部メモリに登録すると共に前記シリアルＩＤ（ａ）を前記ライセンス管理団に報告する第１ステップと、前記ライセンス管理団体が、ＢＣＡコード記録装置製造メーカから報告されたシリアルＩＤ（ａ）を基にＢＣＡ設備キー（ｂ）を発行して光ディスク製造メーカに送付すると共に、該ＢＣＡ設備キー（ｂ）及びタイトル毎に発行したメディアキー（ｃ）とを基に生成した認証キー（ｄ）を光ディスク再生装置に送付する第２ステップと、前記光ディスク製造メーカが、ライセンス管理団体から受信したメディアキー（ｃ）とＢＣＡコード記録装置製造メーカで発行したシリアルＩＤ（ａ）とを基に特殊暗号キー（ｅ）を生成し、該特殊暗号キー（ｅ）をＢＣＡコードの所定エリアにＢＣＡコードと共に光ディスクに記録する第３ステップと、前記光ディスク再生装置が、光ディスクから再生した特殊暗号キー（ｅ）とライセンス管理団体から発行された認証キー（ｄ）とが所定の関係にある場合のみに光ディスクの再生が可能とする第４ステップを含むことを第３の特徴とし、この光ディスク管理方法において、前記ＢＣＡコード記録装置が、内部メモリに記憶したシリアルＩＤ（ａ）とライセンス管理団体から送付されたＢＣＡ設備キー（ｂ）とが所定の関係にある場合のみにＢＣＡコード記録を可能とする第５ステップとを含むことを第４の特徴とする。
【０００８】
更に本発明は、光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと間とで光ディスクの不正製造を防止する光ディスクであって、前記ＢＣＡ製造メーカから報告されたシリアルＩＤ（ａ）を基に発行したＢＣＡ設備キー（ｂ）及ライセンス管理団体がタイトル毎に発行したメディアキー（ｃ）とを基に生成した特殊暗号キー（ｅ）をＢＣＡコードに含ませて記録したことを第５の特徴とする。
【０００９】
また本発明は、ＢＣＡコードが記録された光ディスクを再生する光ディスク再生装置であって、前記光ディスクのＢＣＡコードに含まれる特殊暗号キー（ｅ）と、ライセンス管理団体から発行された認証キー（ｄ）とが所定の関係にある場合のみに光ディスクの再生を可能としたことを第６の特徴とする。
【００１０】
また本発明は、光ディスクにＢＣＡコードを記録するＢＣＡコード記録装置を製造するＢＣＡコード記録装置製造メーカと、光ディスク製造のライランスを管理するライセンス管理団体と、前記ＢＣＡコード記録装置製造メーカが製造したＢＣＡコード記録装置を使用し且つライセンス管理団からの許可を得て光ディスクを製造する光ディスク製造メーカと間とで光ディスクの不正製造防止するためのＢＣＡコード記録装置であって、ＢＣＡコード記録装置製造メーカが発行したＢＣＡコード記録装置毎に固有のシリアルＩＤ（ａ）を格納する内部メモリと、前記シリアルＩＤ（ａ）を基にライセンス管理団体が発行した設備キー（ｂ）を通信網を介して受信することができる外部メモリと、ライセンス管理団体がタイトル毎に発行したメディアキー（ｃ）を通信網を介して受信し且つタイトル毎に付与されたＢＣＡデータを格納するＢＣＡ設備コントローラとを含み、前記内部メモリに格納したシリアルＩＤ（ａ）とＢＣＡ設備キー（ｂ）とが所定の関係にあるときのみにＢＣＡコード記録を許可し、前記外部メモリに格納したＢＣＡ設備キー（ｂ）とメディアキー（ｃ）とを基に特殊暗号キーｅを生成し、該生成した特殊暗号キーｅを前記ＢＣＡデータに含ませて光ディスクに記録することを第７の特徴とする。
【００１１】
更に本発明は、光ディスクの不正製造及び不正再生を防止するライセンス管理団体であって、ＢＣＡコード記録装置製造メーカがＢＣＡコード記録装置毎に発行した固有のシリアルＩＤ（ａ）を基にＢＣＡ設備キー（ｂ）を生成すると共に、該ＢＣＡ設備キー（ｂ）及びタイトル毎に発行したメディアキー（ｃ）とを基に認証キー（ｄ）を生成し、前記ＢＣＡ設備キー（ｂ）が、ＢＣＡコード記録装置において、ＢＣＡコード記録装置に固有に発行されたシリアルＩＤ（ａ）と所定の関係にあるときにＢＣＡコード記録を許可する要素として使用され、前記認証キー（ｄ）が、光ディスク再生装置において、前記ＢＣＡ設備キー（ｂ）とメディア発行キー（ｃ）とを基に生成された特殊暗号キーｅと所定の関係にあるときに光ディスク再生を許可する要素として使用されることを第８の特徴とする。
【発明の効果】
【００１２】
本発明は、ＢＣＡコード記録装置が、ＢＣＡ記録装置製造メーカが装置毎に発行したシリアルＩＤ（ａ）と、ライセンス管理団体が前記シリアルＩＤ（ａ）を基に発行したＢＣＡ設備キー（ｂ）とが所定の関係にあるときのみにＢＣＡコード記録を許可するために、光ディスクの不正製造を防止することができる。
【００１３】
更に本発明は、光ディスク再生装置が、ライセンス管理団体がＢＣＡ設備キー（ｂ）とメディアキー（ｃ）とを基に発行した認証キー（ｄ）と、再生したＢＣＡデータに含まれ、ＢＣＡコード記録装置が前記ＢＣＡ設備キー（ｂ）と認証キー（ｄ）を基に生成した特殊暗号キー（ｅ）との関係が所定の関係にあるときのみに光ディスク再生を許可するために、光ディスクの不正再生を防止することができる。
【発明を実施するための最良の形態】
【００１４】
以下、本発明の一実施形態による光ディスク管理システム、光ディスク管理方法、光ディスク、光ディスク再生装置、ＢＣＡコード記録装置、ランセンス管理団体の一実施形態を図１を参照して詳細に説明する。
【００１５】
本実施形態による光ディスク管理システムは、図１に示す如く、ＢＣＡコードを光ディスクに記録するＢＣＡコード記録装置３１を製造するＢＣＡ記録装置製造メーカ１０と、該メーカ１０が製造したＢＣＡコード記録装置３１を用い且つライセンス管理団体２０からの許可を得て光ディスクに対してＢＣＡコード及びタイトルに応じたデータ（音楽／映画その他データ）を記録するディスク製造メーカ３０と、映画等の光ディスク製造のライランスを管理するライセンス管理団体２０と、前記ディスク製造メーカ３０が製造したＢＣＡコード付光ディスク６０を再生する光ディスク再生装置７０とによって構成される。この光ディスク再生装置７０は図示しない光ディスク再生装置メーカによって製造される。
【００１６】
前記ＢＣＡコード記録装置製造メーカ１０は、製造したＢＣＡコード記録装置毎に固有のシリアルＩＤ（ａ）を発行し、当該ＢＣＡコード記録装置の内部メモリ３２に登録すると共に、前記シリアルＩＤ（ａ）を前記ライセンス管理団体２０に報告する様に構成され、ライセンス管理団体２０は、前記ＢＣＡコード記録装置製造メーカから報告されたシリアルＩＤ（ａ）を基にしたＢＣＡ設備キー（ｂ）の発行機能２１と、タイトル毎にメディアキー（ｃ）の発行機能２２と、前記ＢＣＡ設備キー（ｂ）及びメディアキー（ｃ）を基にした認証キー（ｄ）の発行機能２３とを備える。
【００１７】
前記光ディスク製造メーカ３０は、前記ＢＣＡコード記録装置製造メーカ１０が発行したＢＣＡコード記録装置毎の固有のシリアルＩＤ（ａ）を格納する内部メモリを含むＢＣＡコード記録装置３１と、前記シリアルＩＤ（ａ）を基にライセンス管理団体２０が発行した設備キー（ｂ）を通信網を介して受信することができる外部メモリ３７と、ライセンス管理団体２０がタイトル毎に発行したメディアキー（ｃ）を通信網を介して受信し且つタイトル毎に付与されたＢＣＡデータを格納するＢＣＡ設備コントローラ３８とを含む。
【００１８】
前記ＢＣＡコード記録装置３１は、前記内部メモリ３２に格納したシリアルＩＤ（ａ）と外部メモリ３７に記憶したＢＣＡ設備キー（ｂ）とが所定の関係にあるときのみにＢＣＡコード記録を許可する許可機能３３と、該機能３３によりＢＣＡコード記録が許可されたとき、前記外部メモリ３７に格納したＢＣＡ設備キー（ｂ）とＢＣＡ設備コントローラ３８を介して入力したメディアキー（ｃ）とを基に特殊暗号キー（ｅ）を生成する暗号生成機能３４と、前記ＢＣＡ設備コントローラ３８に記憶したＢＣＡデータ３９に前記特殊暗号キー（ｅ）を含ませる混合機能３５と、該混合機能３５により特殊暗号キー（ｅ）を含ませたＢＣＡコードを光ディスクに記録するＢＣＡコード記録機能３６とを備える。尚、本実施形態で述べる「所定の関係」とは、例えばシリアルＩＤ（ａ）とＢＣＡ設備キー（ｂ）とを予め定めた演算式により演算したときの結果が一定値となる等の関係を意味する。
【００１９】
本実施形態の対象となるＢＣＡコードは、光ディスクの内周トラックに沿って複数のバーコード状のマーク（縦線のバー）が並列され、該マークの間隔によって著作権表示等のデータを構成するものであり、このＢＣコードを構成するマークの記録位置は例えばＤＶＤ規格により定められており、この規格はディスク半径方向及びトラック方向に対して所定のマージンが定められている。このＢＣＡコードを記録するエリアは規約により定められているが物理的に余裕があり、この余裕エリアに前記特殊暗号キー（ｅ）を含ませることは容易である。また前記特殊暗号キー（ｅ）は、複数のマークから成るＢＣＡコードを、該複数マークの光ディスク半径方向位置及び又はトラック方向位置をＢＣＡコードとして認識可能な範囲で予め決められた手順で変調させたシークレットコードとして埋め込むこともできる。即ち、即ちＢＣＡコードが、ＢＣＡコードとして認識可能な範囲で変形させることができる特性を利用し、マーク長変化及び変形を利用して特殊暗号キー（ｅ）をシークレットコードとしてＢＣＡコード内に埋め込むこともできる。
【００２０】
前記外部メモリ３７に格納されるＢＣＡ設備キー（ｂ）は、ディスク製造メーカ３０が正規の工場稼働日のみに外部からアクセス可能に設定されているか、所定の権限のある管理者のみによってアクセス可能に設定されている。
【００２１】
前記光ディスク再生装置７０は、光ディスク６０から再生したＢＣＡコードを再生する再生機能７１と、この再生したＢＣＡコードに含まれる特殊暗号キー（ｅ）と通信回線を介してライセンス管理団体２０から受信した認証キー（ｄ）とを比較し、両キー（ｄ）及び（ｅ）が予め定められた所定の関係か否かを判定し、所定の関係の場合に光ディスク６０が正規のタイトルと認証する認証機能７１と、該認証機能７２が正規のタイトルであることを認証した場合に光ディスク６０の再生を許可する許可機能７３と、該認証機能７２が正規のタイトネルでないと認証した場合に光ディスク６０の再生を不可とする再生不可機能７３とを備える。
【００２２】
この様に構成された光ディスク管理システム及び光ディスク管理方法は、ＢＣＡコード記録装置３１が、ＢＣＡ記録装置製造メーカより発行され、内部メモリ３２に格納したたシリアルＩＤ（ａ）と、ライセンス管理団体２０が前記シリアルＩＤ（ａ）を基に発行し、回線を通じて受信し、外部メモリ３７に格納したＢＣＡ設備キー（ｂ）とが所定の関係にあるときのみにＢＣＡコード記録を許可するために、光ディスクの不正製造を防止することができる。
【００２３】
即ち、仮にディスク製造メーカ３０の従業員が、休日等に不正に光ディスク製造を試みたとしても、外部メモリ３７からＢＣＡ設備キー（ｂ）を読み込むことがでないため光ディスクの不正な製造を阻止することができる。また仮に管理者等の不正によって光ディスクが不正製造された場合、当該不正に製造された光ディスクのＢＣＡコードには前記ＢＣＡ設備キー（ｂ）及びシリアルＩＤ（ａ）を含む特殊暗号キー（ｅ）が含まれ、ライセンス管理団体２０等が前記特殊暗号キー（ｅ）を解読することによって、不正に光ディスクを製造したディスク製造メーカを特定することができる。
【００２４】
更に本実施形態による光ディスク管理システム及び光ディスク管理方法は、光ディスク再生装置７０が、ライセンス管理団体２０から発行されたＢＣＡ設備キー（ｂ）とメディアキー（ｃ）とを基にした認証キー（ｄ）と、再生したＢＣＡデータに含まれ、ＢＣＡコード記録装置が前記ＢＣＡ設備キー（ｂ）と認証キー（ｄ）を基に生成した特殊暗号キー（ｅ）との関係が所定の関係にあるときのみに光ディスク再生を許可する様に構成したため、光ディスクの不正再生を防止することができる。
【図面の簡単な説明】
【００２５】
【図１】本発明の一実施形態による不正コピー発見システムを説明するための図。
【符号の説明】
【００２６】
１０：コード記録装置製造メーカ、２０：ライセンス管理団体、３０：光ディスク製造メーカ、３１：ＢＣＡコード記録装置、３２：内部メモリ、３７：外部メモリ、３８：ＢＣＡ設備コントローラ、６０：ＢＣＡコード付光ディスク、７０：光ディスク再生装置。
【図１】
2006085813.tif 000003
【手続補正書】
【提出日】平成16年9月16日(2004.9.16)
【手続補正２】
【補正対象書類名】明細書
【補正対象項目名】０００５
【補正方法】変更
【補正の内容】
【０００５】
本発明はの目的は、前述の従来技術による不具合を除去することであり、光ディスクの
不正製造及び不正再生を防止することができる、光ディスク管理システム、光ディスク管
理方法、光ディスク、光ディスク再生装置、ＢＣＡコード記録装置、ライセンス管理団体
を提供することである。
【手続補正３】
【補正対象書類名】明細書
【補正対象項目名】００１４
【補正方法】変更
【補正の内容】
【００１４】
以下、本発明の一実施形態による光ディスク管理システム、光ディスク管理方法、光デ
ィスク、光ディスク再生装置、ＢＣＡコード記録装置、ライセンス管理団体の一実施形態
を図１を参照して詳細に説明する。